(57)【要約】【課題】本明細書は、複数のパワーカードの正極端子同士を接続する正極バスバと負極端子同士を接続する負極バスバを有する電力変換装置に関し、バスバのインダクタンスを低減する技術を提供する。【解決手段】本明細書が開示する電力変換装置は、複数のパワーカードと複数の冷却器２１を積層した積層ユニット２０を備える。一のパワーカードの正極端子Ｐ１と別のパワーカードの負極端子Ｎ１が積層方向に沿って交互に並んでいる。正極バスバ３と負極バスバ４は、隣接する正極端子Ｐ１と負極端子Ｎ１を通過させる貫通孔３ａ、４ａを有している。負極バスバ４は、正極バスバ３と重なって配置されている。正極バスバ貫通孔３ａの縁から、一つの正極端子に接合する正極舌部３１が伸びている。負極バスバ貫通孔４ａの縁から、一つの負極端子に接合する負極舌部４１が伸びている。そして、負極舌部４１が正極バスバ貫通孔３ａを通過している。【選択図】図２
2015139270.tif 000002
【特許請求の範囲】
【請求項１】
スイッチング素子を収容している複数のパワーカードが複数の冷却器と交互に積層されており、一のパワーカードの正極端子と他のパワーカードの負極端子が積層方向に沿って交互に並んでいる積層ユニットと、
複数の前記パワーカードの正極端子を接続する平板状の正極バスバと、
複数の前記パワーカードの負極端子を接続する平板状の負極バスバと、
を備えており、
前記正極バスバは、積層方向で隣接する一つの正極端子と一つの負極端子を通過させる正極バスバ貫通孔を有しており、当該正極バスバ貫通孔の縁から前記一つの正極端子と平行に伸びる正極舌部が伸びているとともに当該正極舌部が前記一つの正極端子と接合しており、
前記負極バスバは、前記正極バスバと重なって配置されており、前記正極バスバ貫通孔と重なっているとともに前記一つの正極端子と前記一つの負極端子を通過させる負極バスバ貫通孔を有しており、当該負極バスバ貫通孔の縁から前記一つの負極端子と平行に伸びる負極舌部が伸びており、当該負極舌部が前記一つの負極端子と接合しており、
前記正極舌部が前記負極バスバ貫通孔を通過している、あるいは、前記負極舌部が前記正極バスバ貫通孔を通過している、
ことを特徴とする電力変換装置。
【請求項２】
一方の端子が前記正極バスバと接続されているとともに他方の端子が前記負極バスバと接続されているコンデンサをさらに備え、
前記コンデンサが、前記複数のパワーカードと前記複数の冷却器が交互に積層された積層ユニットに対してその積層方向で隣接していることを特徴とする請求項１に記載の電力変換装置。
【請求項３】
前記正極バスバと前記負極バスバは、前記積層ユニットの積層方向に交差する方向の幅が同じであり、前記積層方向で前記コンデンサが配置されている側とは反対側の縁が揃っていることを特徴とする請求項２に記載の電力変換装置。
【発明の詳細な説明】
【技術分野】
【０００１】
本発明は、電力変換装置に関する。特に、電動車両に搭載され、バッテリの電力を交流に変換して走行用モータに供給する電力変換装置に関する。本明細書における「電動車両」には、走行用にモータを備えるがエンジンは備えない電気自動車、モータとエンジンの双方を備えるハイブリッド、及び、燃料電池車を含む。
【背景技術】
【０００２】
電動車両の電力変換装置は、インバータ回路や電圧コンバータ回路に多数のスイッチング素子を備える。走行用モータに電力を供給する電力変換装置は、扱う電流が大きいため発熱量が大きい。複数のスイッチング素子を集約して効率よく冷却するユニットが例えば特許文献１に開示されている。それらの文献はスイッチング素子を収容した複数のパワーカードと平板状の複数の冷却器を交互に積層した積層ユニットを採用する。
【０００３】
パワーカードの夫々は正極端子と負極端子を有しており、複数のパワーカードの正極端子同士、及び、負極端子同士が接続される。前述したようにスイッチング素子は大電流を扱うため、パワーカードを接続する導電体にはバスバと呼ばれる板状あるいは棒状の金属部材が使われる。
【０００４】
他方、スイッチング動作に起因した高周波の交流電流がバスバに流れ、その交流電流が磁界を発生する。そのときのバスバのインダクタンス（寄生インダクタンス）は電力変換装置の損失の要因となる。バスバのインダクタンスを低減する技術が特許文献１−３に例示されている。
【０００５】
バスバのインダクタンスを下げる一つの方法として、パワーカードの正極端子同士を接続する正極バスバと負極端子同士を接続する負極バスバを並走させる構造が知られている。両バスバには互いに逆向きの電流が流れるので、磁界が相殺される。そのようなバスバの構造が特許文献１−３に例示されている。
【０００６】
特許文献１、２では、平板状の正極バスバと負極バスバを重ねている。夫々のバスバは、櫛状の複数の切欠を有し、その切欠に、パワーカードの端子が通過しており、接合されている。特許文献３では、正極バスバに２種類の貫通孔が設けられている。一つの貫通孔には、パワーカードから伸びる正極端子が通され、その貫通孔の縁に正極端子が接合されている。もう一つの貫通孔は、パワーカードから伸びる負極端子が接触せずに通される。正極バスバの上には負極バスバが重ねられ、その負極バスバには、負極端子を通して接合する貫通孔が設けられている。
【先行技術文献】
【特許文献】
【０００７】
【特許文献１】特開２０１２−０１０４２６号公報
【特許文献２】特開２０１１−０１０４９６号公報
【特許文献３】特開２０１３−１９２４０３号公報
【発明の概要】
【発明が解決しようとする課題】
【０００８】
本明細書は、複数のパワーカードの正極端子同士、あるいは、負極端子同士を接続するバスバを有する電力変換装置に関し、バスバの構造を改良し、バスバのインダクタンスを低減する技術を提供する。
【課題を解決するための手段】
【０００９】
本明細書が開示する電力変換装置は、複数のパワーカードと複数の冷却器を交互に積層した積層ユニットと、積層された複数のパワーカードの正極端子同士を接続する正極バスバ、及び、負極端子同士を接続する負極バスバを備えている。パワーカードは、一つあるいは複数のスイッチング素子を収容しており、そのスイッチング素子の高電位側電極と導通している正極端子と低電位側電極と導通している負極端子を備えている。そして、積層ユニットにおいて、一のパワーカードの正極端子とこれに隣接する別のパワーカードの負極端子が同一方向に延出しているとともに積層方向で交互に並んでいる。正極バスバと負極バスバは平板状であり、重なり合って積層ユニットの正極／負極端子が突出している面に平行に配置されている。正極バスバは、パワーカードの積層方向で隣接する一つの正極端子と一つの負極端子を通過させる正極バスバ貫通孔を有している。その正極バスバ貫通孔の縁から一つの正極端子と平行に伸びる正極舌部が伸びている。その正極舌部が貫通孔を通過している一つの正極端子と接合している。また、負極バスバは、正極バスバと重なって配置されており、正極バスバ貫通孔と重なっている負極バスバ貫通孔を有している。正極バスバ貫通孔と負極バスバ貫通孔は重なっているので、積層方向で隣接する一つの正極端子と一つの負極端子が両方の貫通孔を通っている。そして、負極バスバ貫通孔の縁から一つの負極端子と平行に伸びる負極舌部が伸びており、その負極舌部が一つの負極端子と接合している。そして、正極舌部が負極バスバ貫通孔を通過している、あるいは、負極舌部が正極バスバ貫通孔を通過している。なお、正極バスバと負極バスバの間は絶縁されており、正極端子と負極バスバの間も絶縁されている。負極端子と正極バスバの間も絶縁されている。また、接合は、典型的には、溶接である。
【００１０】
上記の構造では、正極バスバと負極バスバがかなりの部分で重なっており、夫々のバスバが発生する磁界が効果的に相殺される。また、正極バスバと負極バスバの一方のバスバの舌部が他方のバスバの貫通孔を通り、両方のバスバの舌部が対向するとともに、夫々の舌部が正極端子あるいは負極端子と接合される。これにより、舌部と端子間に広い接触面積が確保され、溶接などの接合が堅牢となるとともに電気抵抗も小さくなる。
【００１１】
なお、「正極バスバと負極バスバが重なっている」とは、絶縁板あるいは絶縁コーティングを挟んで両バスバが接しているケースと、両バスバが空隙を挟んで対向しているケースのいずれであってもよい。また、両バスバが空隙を挟んで対向している場合の空隙の大きさは、バスバ間で放電を生じない程度には大きく、両バスバの磁界が相殺する程度には小さく決定される。好適な空隙の大きさは、バスバの面積や流れる磁界の大きさにも依存するので、評価試験やシミュレーション等で個別具体的に決定される。
【００１２】
また、正極バスバと負極バスバがそれぞれ複数の貫通孔を有する場合、全ての貫通孔が上記の構造を有している必要はない。正極バスバと負極バスバのそれぞれが有する一つ乃至幾つかの貫通孔が上記の構造を備えていれば、上記した効果が得られる。
【００１３】
電力変換装置は、インバータ回路や電圧コンバータ回路に並列に接続されるコンデンサを備える。そのコンデンサはスイッチング素子、即ちパワーカードと接続される。すなわち、本明細書が開示するさらに改良された電力変換装置は、一方の端子（電極）が正極バスバと接続されているとともに他方の端子（電極）が負極バスバと接続されているコンデンサを備える。そして、そのコンデンサは、積層ユニットに対してその積層方向で隣接している。さらに、正極バスバと負極バスバは、積層ユニットの積層方向に交差する方向の幅が同じであり、積層方向でコンデンサが配置されている側とは反対側の縁が揃っている形状を有しているとよい。正極バスバと負極バスバが無駄なく重なっているので、夫々のバスバが発生する磁界が一層効果的に相殺される。
【発明の効果】
【００１４】
本明細書が開示する技術によれば、積層ユニットの複数のパワーカードを接続するバスバを有する電力変換装置において、バスバのインダクタンスを低減することができる。本明細書が開示する技術の詳細とさらなる改良は以下の「発明を実施するための形態」にて説明する。
【図面の簡単な説明】
【００１５】
【図１】実施例の電気自動車の電力系のブロック図である。
【図２】積層ユニットとバスバの分解斜視図である。
【図３】積層ユニットとバスバのアセンブリの斜視図である。
【発明を実施するための形態】
【００１６】
図面を参照して実施例の電力変換装置を説明する。実施例の電力変換装置は、電気自動車に搭載され、バッテリの電力を交流に変換して走行用モータに供給するデバイスである。図１に実施例の電力変換装置２を含む電気自動車１００の電力系のブロック図を示す。電気自動車１００は、２個のモータ８３ａ、８３ｂを備える。それゆえ、電力変換装置２は、２セットのインバータ回路１３ａ、１３ｂを含む。なお、２個のモータ８３ａ、８３ｂの出力は、動力分配機構８５で合成／分配されて車軸８６（即ち駆動輪）へと伝達される。
【００１７】
電力変換装置２は、システムメインリレー８２を介してバッテリ８１と接続されている。電力変換装置２は、バッテリ８１の電圧を昇圧する電圧コンバータ回路１２と、昇圧後の直流電力を交流に変換する２セットのインバータ回路１３ａ、１３ｂを含む。
【００１８】
電圧コンバータ回路１２は、２個のスイッチング素子Ｔ７、Ｔ８の直列回路と、一端がその直列回路の中点に接続されており他端が入力側（バッテリ側）の高電位端子に接続されているリアクトル７と、入力側の高電位端子と低電位端子の間に接続されているフィルタコンデンサ５と、各スイッチング素子に逆並列に接続されているダイオードで構成されている。低電位側のラインは電圧コンバータ回路１２の入力側と出力側で直接接続されており、これらは回路のグランド電位に保持される。
【００１９】
電圧コンバータ回路１２は、バッテリ８１の電圧を昇圧してインバータ回路１３ａ（１３ｂ）へ供給する動作（昇圧動作）と、インバータ回路１３ａ（１３ｂ）側から入力される直流電力を降圧してバッテリ８１へ供給する動作（降圧動作）の双方を行うことができる。前者の場合はスイッチング素子Ｔ８が主に貢献し、後者の場合はスイッチング素子Ｔ７が主に貢献する。図１の電圧コンバータ回路はよく知られているので詳細な説明は省略する。なお、符号ＰＣ７が示す破線矩形の範囲の回路が、後述するパワーカードＰＣ７に対応する。符号Ｐ１、Ｎ１は、パワーカードＰＣ７から延出している端子であって、夫々、スイッチング素子Ｔ７、Ｔ８の直列回路の高電位側の電極と接続されている端子（正極端子Ｐ１）と、低電位側の電極と接続されている端子（負極端子Ｎ１）を表している。次に説明するように、正極端子Ｐ１、負極端子Ｎ１という呼称は、他のパワーカードでも用いる。
【００２０】
インバータ回路１３ａは、２個のスイッチング素子の直列回路が３セット並列に接続された構成を有している（Ｔ１とＴ４、Ｔ２とＴ５、Ｔ３とＴ６）。各スイッチング素子にはダイオードが逆並列に接続されている。３セットの直列回路の高電位側の端子（正極端子Ｐ１）が電圧コンバータ回路１２の高電位側の出力端に接続されており、３セットの直列回路の低電位側の端子（負極端子Ｎ１）は電圧コンバータ回路１２の低電位側の出力端に接続されている。３セットの直列回路の中点から３相交流（Ｕ相、Ｖ相、Ｗ相）が出力される。３セットの直列回路の夫々が、後述するパワーカードＰＣ１、ＰＣ２、ＰＣ３に対応する。なお、符号ＰＣ１が示す破線矩形の範囲の回路が、後述するパワーカードＰＣ１に対応する。同様に、符号ＰＣ２、ＰＣ３が示す破線矩形の範囲の回路が、後述するパワーカードＰＣ２、ＰＣ３に対応する。パワーカードＰＣ１−ＰＣ３の構成は、上記のパワーカードＰＣ７と同様で、直列回路の高電位側の電極と接続されている正極端子Ｐ１と直列回路の低電位側の電極と接続されている負極端子Ｎ１を有している。
【００２１】
インバータ回路１３ｂの構成はインバータ回路１３ａと同じであるため、図１では具体的な回路の図示を省略している。インバータ回路１３ｂもインバータ回路１３ａと同様に、２個のスイッチング素子の直列回路が３セット並列に接続された構成を有している。各直列回路が後述するパワーカードＰＣ４、ＰＣ５、ＰＣ６に対応する。パワーカードＰＣ４、ＰＣ５、ＰＣ６の夫々も、２個のスイッチング素子の直列回路と正極端子Ｐ１と負極端子Ｎ１を有している。
【００２２】
インバータ回路１３ａ、１３ｂの入力端に平滑化コンデンサ６が並列に接続されている。平滑化コンデンサ６は、別言すれば、電圧コンバータ回路１２の出力端に並列に接続されている。平滑化コンデンサ６は、電圧コンバータ回路１２の出力電流に重畳しているノイズ（スイッチング動作に伴う電流の脈動）を除去する。
【００２３】
スイッチング素子Ｔ１−Ｔ８は、トランジスタであり、典型的にはＩＧＢＴ（Insulated Gate Bipolar Transistor）であるが、他のトランジスタ、例えば、ＭＯＳＦＥＴ（Metal Oxide Semiconductor Field Effect Transistor）であってもよい。あるいは、他の異なるタイプのスイッチング素子であってもよい。本明細書が開示する技術はバスバの構造にあり、スイッチング素子のタイプに依存しない。また、ここでいうスイッチング素子は、大電流の電力を変換することに用いられるものであり、パワー半導体素子と呼ばれることもある。
【００２４】
図１に破線ＰＣ１−ＰＣ７で囲んだように、電力変換装置２は、２個のスイッチング素子の直列回路を７セット備えている。ハードウエアとしては、２個のスイッチング素子の直列回路、およびこれに付随するダイオードが一つのパッケージに収容されている。具体的には、２個のスイッチング素子とダイオードが樹脂で封止されており、その樹脂パッケージの内部でスイッチング素子が直列に接続されているとともに、各スイッチング素子にダイオードが逆並列に接続されている。また、半導体基板にスイッチング素子とダイオードがペアで作り込まれているデバイスもある。そのような樹脂パッケージを本明細書ではパワーカードと称する。即ち、電力変換装置２は、７個のパワーカードＰＣ１−ＰＣ７を備える。前述したように、各パワーカードに付されている符号Ｐ１は、２個のスイッチング素子の直列回路の高電位側の電極に接続されている正極端子を表しており、符号Ｎ１は、低電位側の電極に接続されている負極端子を表している。
【００２５】
図１において、符号３が示す破線内の導電経路は、複数のパワーカードの正極端子Ｐ１と平滑化コンデンサ６を相互に接続するＰバスバに対応し、符号４が示す破線内の導電経路は、複数の負極端子Ｎ１と平滑化コンデンサ６を相互に接続するＮバスバに対応する。Ｐバスバ３、Ｎバスバ４については後述する。
【００２６】
次に、電力変換装置２のハードウエア構成を説明する。大電流を扱うスイッチング素子は発熱量も多い。複数のスイッチング素子を効率よく冷却するため、電力変換装置２は、７個のパワーカードＰＣ１−ＰＣ７と複数の冷却器２１を交互に積層した積層ユニットを備える。図２に積層ユニット２０と、Ｐバスバ３と、Ｎバスバ４の分解図を示す。
【００２７】
積層ユニット２０について説明する。積層ユニット２０は、７枚のパワーカードＰＣ１−ＰＣ７と８枚の平板型の冷却器２１を交互に積層したものであり、各パワーカードはその両側を冷却器２１で挟まれている。なお、図２では、左端の冷却器だけに符号２１を付しており、他の冷却器には符号を省略している。各冷却器２１の内部は冷媒が通る空洞である。各冷却器２１の長手方向（図中のＸ軸方向）の両側に孔が設けられており、隣接する冷却器２１が連結管２４ａ、２４ｂで連結されている。積層方向（図中のＺ軸方向）の一端に位置する冷却器２１には冷媒供給管２２と冷媒排出管２３が接続されている。冷媒供給管２２から供給された冷媒は、連結管２４ａを通じて全ての冷却器２１に分配される。冷媒は、各冷却器２１の内部を通過する間に隣接するパワーカードの熱を吸収し、他方の連結管２４ｂを通じて冷媒排出管２３へと送られる。なお、冷媒は、液体であり、例えば、水、あるいは、ＬＬＣ（Long Life Coolant）である。
【００２８】
各パワーカードの上面から、３個の端子Ｐ１、Ｎ１、Ｑが延出している。端子Ｐ１とＮ１は、前述したように、２個のスイッチング素子の直列回路の正極端子（高電位側の電極と接続されている端子）と負極端子（低電位側の電極と接続されている端子）である。端子Ｑは、２個のスイッチング素子の直列回路の中点に接続している端子（中間端子）である。各端子は、パワーカードの厚み方向（積層方向）に薄い平板である。なお、図では、積層方向の両端に位置するパワーカードＰＣ１とＰＣ７の中間端子のみに符号Ｑを付しており、他のパワーカードの中間端子には符号を省略している。また、複数のパワーカードで各端子が区別し易いように、正極端子Ｐ１と負極端子Ｎ１には異なるハッチングを付している。ハッチングを付していない端子が中間端子Ｑを表している。正極端子Ｐ１、負極端子Ｎ１、及び、中間端子Ｑは、複数のパワーカードから同一方向（図中のＹ軸方向）に延出している。
【００２９】
７枚のパワーカードＰＣ１−ＰＣ７は同じ構造を有しているが、図２に示すように、複数のパワーカードは、一のパワーカードの正極端子Ｐ１とこれに隣接する別のパワーカードの負極端子Ｎ１が積層方向に沿って交互に並ぶように配列されている。これは、一のパワーカードに隣接するパワーカードを、図中のＹ軸回りに１８０度回転させることで実現される。
【００３０】
図１を参照して説明したように、複数のパワーカードＰＣ１−ＰＣ７と、平滑化コンデンサ６は、正極バスバ３と負極バスバ４により並列に接続されている。正極バスバ３と負極バスバ４の物理的な構造について説明する。なお、図２において、符号６０は、コンデンサモジュールを示している。このコンデンサモジュール６０は、図１の平滑化コンデンサ６に相当する。コンデンサモジュール６０は、内部で複数のフィルムコンデンサが並列に接続されており、平行な一対の端面の一方が電極６０ａに相当し、他方が電極６０ｂに相当する。電極６０ａ、６０ｂは、メタリコン電極とも呼ばれる。
【００３１】
正極バスバ３と負極バスバ４はいずれも導電性の金属平板を加工して作られている。概説すると、いずれのバスバも、複数の貫通孔を有するとともに、幾つかの貫通孔には、その縁から舌部が伸びている。また、いずれのバスバも、長手方向の一端が折れ曲がっている。これらの構造は、プレス加工により形成される。
【００３２】
図３に、正極バスバ３と負極バスバ４と積層ユニット２０とコンデンサモジュール６０を組み立てたアセンブリを示す。図２と図３を参照しつつ説明する。平板状の正極バスバ３と負極バスバ４は、重ね合わせるようにして積層ユニット２０に沿って積層ユニットの正極端子Ｐ１、負極端子Ｎ１が突出している面と平行に配置される。
【００３３】
重なり合った正極バスバ３と負極バスバ４には、複数の貫通孔が設けられており、夫々のバスバの貫通孔も重なるように位置している。例えば、図中のＺ軸方向の左端に位置する正極バスバ貫通孔３ａは、負極バスバ貫通孔４ａと同じ大きさであり、完全に重なりあっている。図３に示すように、重なり合った正極バスバ貫通孔３ａと負極バスバ貫通孔４ａをパワーカードＰＣ１の正極端子Ｐ１とパワーカードＰＣ２の負極端子Ｎ１が通っている。別言すれば、貫通孔３ａと４ａに、一のパワーカードＰＣ１の正極端子Ｐ１と、積層ユニット２０の積層方向でこれに隣接するパワーカードＰＣ２の負極端子Ｎ１が通っている。そして、正極バスバ貫通孔３ａの縁から正極端子Ｐ１に沿って平行に正極舌部３１が伸びており、平板状の正極端子Ｐ１と正極舌部３１が接合している。なお、接合は溶接による。同様に、負極バスバ貫通孔４ａの縁から負極端子Ｎ１に沿って平行に負極舌部４１が伸びており、平板状の負極端子Ｎ１と負極舌部４１が接合している。
【００３４】
負極バスバ４は正極バスバ３の下に位置するので、負極舌部４１は、正極バスバ貫通孔３ａを通過することになる。さらに別言すれば、正極舌部３１と負極舌部４１は対向するように平行に伸びており、夫々の舌部に、重なり合った貫通孔３ａと４ａを通過している正極端子Ｐ１と負極端子Ｎ１が接合している。正極舌部３１と正極端子Ｐ１は対向する平板であり、広い面積で接合する。同様に、負極舌部４１と負極端子Ｎ１も対向する平板であり、広い面積で接合する。
【００３５】
また、正極バスバ３と負極バスバ４は端子Ｐ１、Ｎ１と接合する範囲以外は絶縁コーティングされている。正極バスバ３は、負極バスバ４や負極端子Ｎ１から絶縁されており、負極バスバ４は、正極バスバ３や正極端子Ｐ１からは絶縁されている。正極バスバ３と負極バスバ４は、その最も面積が広い面３ｈ、４ｈで絶縁コーティングを介して接している。
【００３６】
正極バスバ貫通孔３ｃと負極バスバ貫通孔４ｃの関係も、正極バスバ貫通孔３ａと負極バスバ貫通孔４ａの関係と同じである。即ち、正極バスバ貫通孔３ｃと負極バスバ貫通孔４ｃも重なっており、それら貫通孔に、パワーカードＰＣ１の負極端子Ｎ１とこれに隣接するパワーカードＰＣ２の正極端子Ｐ１が通じている。正極バスバ貫通孔３ｃの縁からは正極舌部３２が伸びており、その正極舌部３２はパワーカードＰＣ２の正極端子Ｐ１と接合している。一方、負極バスバ貫通孔４ｃの縁からは負極舌部４２が伸びており、その負極舌部４２はパワーカードＰＣ１の正極端子Ｐ１と接合している。
【００３７】
正極バスバ貫通孔３ａと３ｃの間に位置する正極バスバ貫通孔３ｂと、負極バスバ貫通孔４ａと４ｃの間に位置する負極バスバ貫通孔４ｂも重なっている。それらの貫通孔には、パワーカードＰＣ１とＰＣ２の中間端子Ｑが通っている。図２、図３では、中間端子Ｑに接続されるバスバは図示を省略している。各パワーカードの中間端子Ｑにはそれぞれ独立したバスバが接続される。正極バスバ３と負極バスバ４は、中間端子Ｑに対しても絶縁されている。
【００３８】
図中でＺ軸方向の左端に位置する３個の貫通孔（正極バスバ貫通孔３ａ−３ｃと、負極バスバ貫通孔４ａ−４ｃ）について説明したが、それらに隣接する貫通孔についても同様である。正極バスバ３、負極バスバ４ともに、図中のＸ軸方向に３個の貫通孔が並んでおり、そのセットがＺ軸方向に３セット並んでいる。Ｘ軸方向に並ぶ３個の貫通孔の夫々には、互いに隣接する２枚のパワーカードの対向する端子が通じている。図中左端の３個の貫通孔にはパワーカードＰＣ１とＰＣ２の端子が通じており、その右隣の３個の貫通孔にはパワーカードＰＣ３とＰＣ４の端子が通じており、さらにその右隣の３個の貫通孔にはパワーカードＰＣ５とＰＣ６の端子が通じている。こうして、６枚のパワーカードＰＣ１−ＰＣ６が並列に接続される。
【００３９】
正極バスバ３の図中のＺ軸方向の右端には、上記した正極バスバ貫通孔３ａ−３ｃよりも小さい正極バスバ貫通孔３ｄ−３ｆが設けられている。同様に、負極バスバ４の図中のＺ軸方向の右端には、負極バスバ貫通孔４ａ−４ｃよりも小さい負極バスバ貫通孔４ｄ−４ｆが設けられている。正極バスバ貫通孔３ａ−３ｃ（負極バスバ貫通孔４ａ−４ｃ）の夫々には、パワーカードの積層方向で隣接する２個の端子が通じているが、正極バスバ貫通孔３ｄ−３ｆ（負極バスバ貫通孔４ｄ−４ｆ）の夫々には、パワーカードＰＣ７の一つの端子のみが通じている。正極バスバ貫通孔３ｄと負極バスバ貫通孔４ｄは重なっており、それら貫通孔にパワーカードＰＣ７の正極端子Ｐ１が通じている。正極バスバ貫通孔３ｄの縁からは正極舌部３１が伸びておりその舌部３１が正極端子Ｐ１と接合している。なお、正極バスバ貫通孔３ｄと重なっている負極バスバ貫通孔４ｄには舌部がなく、単に正極端子Ｐ１が通過しているだけである。反対に、パワーカードＰＣ７の負極端子Ｎ１が通過している負極バスバ貫通孔４ｆには、縁から負極舌部４２が伸びており、負極端子Ｎ１と接合している。負極バスバ貫通孔４ｆと重なっている正極バスバ貫通孔３ｆは単に負極端子Ｎ１が通過しているだけである。正極バスバ貫通孔３ｄと３ｆの間に位置する正極バスバ貫通孔３ｅ、及び、これと重なる負極バスバ貫通孔４ｅには、パワーカードＰＣ７の中間端子Ｑが貫通している。中間端子Ｑと正極バスバ３、負極バスバ４は絶縁されている。
【００４０】
こうして、７枚のパワーカードＰＣ１−ＰＣ７の正極端子Ｐ１同士が正極バスバ３によって接続され、負極端子Ｎ１同士が負極バスバ４によって接続される。
【００４１】
正極バスバ３と負極バスバ４には、コンデンサモジュール６０も接続されている。コンデンサモジュール６０は、パワーカードの積層方向（図中のＺ軸方向）で積層ユニット２０に隣接配置されている。正極バスバ３のＺ軸方向の一端３ｇが図中で上方に段差状に折れ曲がっており、コンデンサモジュール６０の一方の電極６０ａと接続している。負極バスバ４のＺ軸方向の一端４ｇが図中で下方に段差状に折れ曲がっており、電極６０ａとは反対側の電極６０ｂと接続している。こうして、正極バスバ３と負極バスバ４により、複数のパワーカードＰＣ１−ＰＣ７とコンデンサモジュール６０が並列に接続される。
【００４２】
また、図３によく示されているように、パワーカードＰＣ１−ＰＣ７の積層方向に直交する方向（図中のＸ軸方向）における正極バスバ３の幅と負極バスバ４の幅は同じであり、それらのバスバは重なるとＸ軸方向の縁が揃う。同様に、正極バスバ３と負極バスバ４は、積層方向でコンデンサモジュール６０とは反対側の縁が揃っている。
【００４３】
電力変換装置には、積層ユニット２０はコンデンサモジュール６０の他にも、図１に示したフィルタコンデンサ５やリアクトル７が含まれるが、それらの説明は省略する。
【００４４】
上記した正極バスバ３と負極バスバ４の利点を説明する。正極バスバ３と負極バスバ４は、金属平板で作られており、重なって配置されている。先に述べたように、正極バスバ３と負極バスバ４は、最も面積の広い面３ｈ、４ｈが絶縁コーティングを介して接している。特に、図３のＹ軸方向からみると（バスバの積層方向からみると）、その外形状は矩形であり、コンデンサモジュール６０が接続される側の一辺を除き他の３辺が揃っている。３辺が揃うのは、正極バスバ３と負極バスバ４に互いに重なる貫通孔を設け、その貫通孔に隣接するパワーカードの正極端子Ｐ１と負極端子Ｎ１を貫通させる構造を採用したからである。矩形の四辺のうち３辺が揃うように重なっているので、夫々のバスバが発生する磁界が効果的に相殺する。その結果、バスバのインダクタンス（寄生インダクタンス）が抑制される。
【００４５】
また、正極バスバ貫通孔３ａ、３ｃ、３ｄには、その縁から正極端子Ｐ１に沿って伸びる正極舌部３１（３２）が伸びており、その正極舌部３１（３２）の平面と正極端子Ｐ１が広い範囲で接合する。ここで、正極バスバ貫通孔３ａ（３ｃ）と負極バスバ貫通孔４ａ（４ｃ）は重なっているので、一方のバスバの舌部は他方のバスバの貫通孔を通過することになる。その結果、正極バスバ３と負極バスバ４は３辺が揃うほどに重なりあってインダクタンスを低減すると同時に、正極舌部３１（３２）と正極端子Ｐ１の間の電気抵抗を抑制している。負極貫通孔４ａ、４ｃ、４ｆと負極舌部４１（４２）についても同様のことが言える。即ち、実施例の電力変換装置は、複数のパワーカードと複数の冷却器が交互に積層した積層ユニットを有し、その複数のパワーカードの正極端子同士、負極端子同士を接続するバスバのインダクタンスが小さく、さらに、バスバと端子との接合部の電気抵抗も小さい、という利点を有する。
【００４６】
また、本実施例の正極バスバ３、負極バスバ４は、金属平板をプレス加工により形成されている。各舌部４１、４２は、各貫通孔を加工する際に、貫通孔の端材となる部分を曲げ加工することにより形成可能である。したがって、良好な歩留まりで、正極バスバ３、負極バスバ４を製造することができる。また、一つのパワーカードの正極端子と別のパワーカードの負極端子が交互に配置されることで、積層方向に一列に配置される正極端子（負極端子）の数は、正極端子がすべて一列に並ぶのに比べて少なくできる。したがって、一つの正極端子（負極端子）が通過する貫通孔の長さを長くすることができる。貫通孔の長さを長くすることで、プレス加工する際の端材となる部分も長くなり、結果として、その端材により形成される舌部の長さを長くすることができる。舌部の長さを長くすることで、舌部と正極端子（負極端子）が接合する面積を広くすることができる。これにより、接合部の電気抵抗を小さくすることができる。
【００４７】
実施例で説明した技術に関する留意点を述べる。１つのパワーカードに収容されるスイッチング素子の数は２個でなくともよい。１つのパワーカードに１個のスイッチング素子が備えられてもよい。また、１つのパワーカードに３個のスイッチング素子が備えられてもよい。この場合、パワーカード内に収容されるスイッチング素子の数及び内部の配線に対応して、パワーカードから延出する正極端子、負極端子、中間端子の数は変化する。本明細書で開示する技術は、バスバの構造に関するものであり、一つのパワーカードから延出する端子の数が変化しても、何ら技術的思想を変更するものではないことに留意されたい。
【００４８】
例えば、３相交流を出力するインバータは、２個のスイッチング素子の直列回路を３セット有する。各セットの高電位側のスイッチング素子は上アームのスイッチング素子と呼ばれ、低電位側のスイッチング素子は下アームのスイッチング素子を呼ばれる。例えば、積層ユニットは、上アームの３個のスイッチング素子を一つのパッケージに収めた第１パワーカードと、下アームの３個のスイッチング素子を一つのパッケージに収めた第２パワーカードを冷却器とともに積層したものであってもよい。さらに、走行用に２つのモータを備える場合、積層ユニットは、２つの第１パワーカードと２つの第２パワーカードを含む。ここで、２つの第１パワーカードは、高電位側の端子が接続されるが、低電位側の端子は直列回路の中点に相当し、相互に結合はされない。同様に２つの第２パワーカードは、低電位側の端子は接続されるが、高電位側の端子は直列回路の中点に相当するので相互に結合はされない。そのような２種類のパワーカードを有する積層ユニットも本明細書が開示する技術の範囲に属する。すなわち、そのような積層ユニットも、スイッチング素子を収容している複数のパワーカードが複数の冷却器と交互に積層されており、一のパワーカード（第１パワーカード）の正極端子と他のパワーカード（第２パワーカード）の負極端子が積層方向に沿って交互に並んでいる構造を有している。
【００４９】
上記の実施例では、負極バスバが正極バスバの下に位置しているが、正極バスバが負極バスバの下に位置している構成でもよい。正極バスバと負極バスバの上下の位置関係を変更しても、何ら技術的思想を変更するものではない。また、上記の実施例のように、モータの数は２個とは限らない。１個でもよいし、３個以上であってもよい。
【００５０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５１】
２：電力変換装置
３：正極バスバ
３ａ、３ｂ、３ｃ、３ｄ、３ｅ、３ｆ：正極バスバ貫通孔
４：負極バスバ
４ａ、４ｂ、４ｃ、４ｄ、４ｅ、４ｆ：負極バスバ貫通孔
５：フィルタコンデンサ
６：平滑コンデンサ
７：リアクトル
１２：電圧コンバータ回路
１３ａ、１３ｂ：インバータ回路
２０：積層ユニット
２１：冷却器
３１、３２：正極舌部
４１、４２：負極舌部
６０：コンデンサモジュール
８１：バッテリ
８２：システムメインリレー
８３ａ、８３ｂ：モータ
８５：動力分配機構
８６：車軸
１００：電気自動車
Ｔ１、Ｔ２、Ｔ３、Ｔ４、Ｔ５、Ｔ６、Ｔ７、Ｔ８：スイッチング素子
ＰＣ１、ＰＣ２、ＰＣ３、ＰＣ４、ＰＣ５、ＰＣ６、ＰＣ７：パワーカード
Ｐ１：正極端子
Ｎ１：負極端子
Ｑ：中間端子
【図１】
2015139270.tif 000003
【図２】
2015139270.tif 000004
【図３】
2015139270.tif 000005